(57)【特許請求の範囲】
【請求項１】
相互接続されたコンピュータネットワークからなるネットワーク（「インターネット」）に接続された移動無線通信装置に電気的に接続するリムーバブルカードであって、
プロセッサと、
前記プロセッサに接続された不揮発性メモリと、
を備え、
前記不揮発性メモリは、前記プロセッサによって処理されるように構成されたプログラミングコードを記憶しそれによって前記インターネットから無線で受信したデータを記憶するようになっているとともに、少なくとも２つのネットワークＩＰアドレスを記憶するようになっており、前記２つのネットワークＩＰアドレスのうちの１つがパブリックネットワークＩＰアドレスであり、前記プログラミングコードは、前記リムーバブルカードが前記無線通信装置に接続されたときに、前記プロセッサが前記パブリックネットワークＩＰアドレスを使用して前記インターネットを介して通信できるようにし、且つ、前記２つのネットワークＩＰアドレスのうちの他のネットワークＩＰアドレスがプライベートネットワークＩＰアドレスであり、前記プログラミングコードは、前記リムーバブルカードが前記無線通信装置に接続されたときに、前記プロセッサが前記プライベートネットワークＩＰアドレスを使用して前記無線通信装置と通信できるようにする、
ことを特徴とするリムーバブルカード。
【請求項２】
前記不揮発性メモリは、前記インターネットからの情報を記憶するために前記無線通信装置によるアクセスが可能であってユーザによるアクセスが制限されている第１の部分と、前記ユーザによるアクセスが可能な第２の部分との２つの部分をさらに含む、
ことを特徴とする請求項１に記載のリムーバブルカード。
【請求項３】
前記不揮発性メモリの前記第１の部分と前記第２の部分との分割は変更可能である、
ことを特徴とする請求項２に記載のリムーバブルカード。
【請求項４】
前記不揮発性メモリの前記第１の部分には、前記プロセッサによって処理されて第１と第２の２つのモードのうちの１つで前記リムーバブルカードを動作するように構成されたプログラミングコードが完全に記憶され、第１のモードでは、前記リムーバブルカードは、前記無線通信装置に接続されて、該無線通信装置によって前記インターネットから無線で受信された情報を記憶し、第２のモードでは、前記リムーバブルカードは、前記無線通信装置と前記インターネットに接続されたネットワークポータル装置とに接続されて、前記インターネットから前記ネットワークポータル装置を介して受信された情報を記憶する、
ことを特徴とする請求項２に記載のリムーバブルカード。
【請求項５】
前記第１の部分と前記第２の部分との間の分割は変更可能である、
ことを特徴とする請求項４に記載のリムーバブルカード。
【請求項６】
前記プロセッサは、ウェブブラウジングによる前記第１の部分へのアクセスを認可する、
ことを特徴とする請求項４に記載のリムーバブルカード。
【請求項７】
前記第１のモードでは、前記リムーバブルカードは、前記無線通信装置が前記インターネットに接続された無線ネットワークを介して無線で受信した情報を記憶し、前記第２のモードでは、前記リムーバブルカードは、前記ネットワークポータル装置を介して前記インターネットに直接接続される、
ことを特徴とする請求項４に記載のリムーバブルカード。
【請求項８】
前記リムーバブルカードは前記ネットワークポータル装置に無線で接続する、
ことを特徴とする請求項７に記載のリムーバブルカード。
【請求項９】
相互接続されたコンピュータネットワークからなるネットワーク（「インターネット」）に２つのモードのうちの１つで接続するための移動無線通信装置であって、
少なくとも２つのネットワークＩＰアドレスを記憶するとともにプログラミングコードを記憶する不揮発性メモリを備え、前記２つのネットワークＩＰアドレスのうちの１つがパブリックネットワークＩＰアドレスであって他のネットワークＩＰアドレスがプライベートネットワークＩＰアドレスであり、
前記不揮発性メモリに接続された、前記プログラミングコードを実行するためのプロセッサを備え、前記プログラミングコードが実行されると、前記無線通信装置が前記パブリックネットワークＩＰアドレスを使用して前記インターネットを介して通信され、且つ、前記不揮発性メモリが前記プライベートネットワークＩＰアドレスを使用して前記無線通信装置と通信され、
無線通信事業者のネットワークを介して無線通信して前記インターネットからの情報を送受信するためのトランシーバを備える、
ことを特徴とする移動無線通信装置。
【請求項１０】
前記無線通信装置を第１と第２の２つのモードのうちの一つで動作可能にするスイッチを含む通信論理回路を備え、第１のモードにおいて、前記トランシーバが無線通信事業者のネットワークを介して無線通信して前記インターネットからの情報を送受信し、第２モードにおいて、前記トランシーバが前記無線通信によるインターネットからの情報の送受信を停止し、前記無線通信装置がネットワークポータル装置に接続されて該ネットワークポータル装置によって前記インターネットと通信する、
ことを特徴とする請求項９に記載の移動無線通信装置。
【請求項１１】
前記プログラミングコードは、前記プロセッサによって実行されると、前記無線通信装置を前記第１のモード又は前記第２のモードにおいて動作可能にする、
ことを特徴とする請求項１０に記載の移動無線通信装置。
【発明の詳細な説明】
【技術分野】
【０００１】
本発明は、プロセッサと不揮発性メモリとを有するリムーバブルカードに関し、また、相互接続されたコンピュータネットワークからなるネットワーク（「インターネット」）に接続するための移動無線通信装置との使用に適しており、この不揮発性メモリは、プロセッサにより実行されて２つのモードで動作するように構成されたプログラムコードを記憶する。第１のモードでは、カードは無線装置に接続され、装置がインターネットから（セルラネットワークなどを介して）無線で受信した情報を記憶する。第２のモードでは、カードはインターネットに接続されたネットワークポータル装置に接続され、ネットワークポータル装置を介して受信した情報を記憶する。（Ｗｉ−Ｆｉなどの）無線リンクを介して、カードをネットワークポータル装置に接続してインターネットに接続するか、或いは、ＰＣを介してカードをインターネットに直接接続することができる。本発明の別の態様では、リムーバブルカードが、プロセッサと２つの部分を含むメモリとを有し、このプロセッサは、ユーザによる第１の部分へのアクセスを制限し、第２の部分へのユーザアクセスを認可し、そしてこのパーティションは変更可能である。最終的に、本発明は無線通信装置に関する。
【背景技術】
【０００２】
携帯電話などの移動無線通信装置は当業で公知である。通常、携帯電話は、ＲＡＭを含むプロセッサ、ＲＯＭ又はＥＥＰＲＯＭ又はフラッシュメモリ、Ｉ／Ｏパッド、及びセキュリティモニタ回路からなる（「ＳＩＭカード」と呼ばれる）リムーバブルカードを有し、これら全てがリムーバブルカードに組み込まれる。ＳＩＭカード内の不揮発性メモリは、携帯電話会社のネットワークにアクセスするために必要な情報を記憶するためのものである。従って、カードは、電話番号、アクセスコード、分数、通話プランなどの情報を記憶することができる。
【０００３】
相互接続されたコンピュータネットワークからなるネットワーク（「インターネット」）もまた、当業で公知である。インターネットには、有線接続されたコンピュータによって、或いは無線ネットワークを介してアクセスすることができる。
【０００４】
３Ｇネットワークなどの移動ネットワークにおける速度が向上したことにより、移動無線装置のユーザは、自身の移動無線通信装置を介してインターネットにアクセスすることを望んでいる。たとえ移動ネットワークの速度が向上しても、特にインターネットにアクセスする場合、ネットワークの使用量がより増加することによりネットワークの使用コストも増加する可能性がある。
【０００５】
従って、移動ネットワークを介してインターネットにアクセスするというユーザの行為が減少しないようなメカニズムを提供する一方で、同時に移動ネットワークを介してインターネットにアクセスするコストを削減するための手段を提供することが望ましい。これまで、（携帯電話などの）通信装置は、（セルラネットワークなどの）一般通信事業者の無線ネットワークを介してインターネットにアクセスできることが知られており、また、Ｗｉ−Ｆｉリンクなどの無線リンクを介してインターネットにアクセスできることも知られている。しかしながら、従来技術では、リムーバブルカードによるインターネットへのアクセスについては教示していない。従来技術では、携帯電話にコンテンツを提供するためのローカルサーバとしてＳＩＭカードを使用することも知られている。しかしながら、従来技術では、ＳＩＭカードのメモリ部分を、ユーザが制限される部分とユーザがアクセスできる部分とに分割することができ、このパーティションが変更可能であることについては教示していない。
【０００６】
【特許文献１】米国特許公報第２００７−０１４７１１５号
【特許文献２】米国特許出願第１１／６３７，４２０号
【発明の開示】
【発明が解決しようとする課題】
【０００７】
移動通信事業者（ＭＮＯ）のネットワークに接続された移動装置に対して、この移動通信事業者によるさらに多くの規制に備えた機能及びメカニズムを提供することがさらに望まれている。
【課題を解決するための手段】
【０００８】
従って、本発明では、装置に電気的に接続するためのリムーバブルカードが、プロセッサと該プロセッサに接続された不揮発性メモリとを有し、この不揮発性メモリは、プロセッサが処理するように構成されると共に２つのモードのうちの１つにおいて動作可能であるプログラミングコードを記憶する。第１のモードでは、カードは装置に接続され、装置がインターネットから無線で受信した情報を記憶する。第２のモードでは、カードはネットワークポータル装置に接続され、この装置がインターネットに接続されて、カードはインターネットからネットワークポータル装置を介して受信した情報を記憶する。
【０００９】
さらに、本発明では、ユーザがインターネットにアクセスするために使用する移動無線通信装置に、リムーバブルカードが電気的に接続される。カードは、プロセッサと該プロセッサに接続された不揮発性メモリとを有する。不揮発性メモリは２つの部分を有する。プロセッサは、ユーザによる第１の部分へのアクセスを制限し、ユーザに対して第２の部分へのアクセスを認可する。
【００１０】
本発明はまた、インターネットにアクセスするように構成された通信装置に電気的に接続するリムーバブルカードにも関する。カードは、プロセッサと該プロセッサに接続された不揮発性メモリとを有する。不揮発性メモリは、カードが通信装置に接続された場合、このカードが、インターネットに接続されたサーバから情報を受信できるようにするパブリックＩＰネットワークアドレスと、カードが、メモリに記憶されたデータを提供することによりローカルサーバとして機能できるようにするプライベートＩＰネットワークアドレスとを記憶することができる。
【００１１】
本発明はまた、２つのモードのうちの１つでインターネットに接続することができる移動無線通信装置にも関する。装置は、無線一般通信事業者のネットワークを介して第１のモードで無線通信してインターネットからの情報を送受信するためのトランシーバを有する。装置はまた、インターネットから受信したデータを記憶するためのメモリも有する。最終的に、装置はまた、ネットワークポータル装置を介して第２のモードでインターネットからの情報を送受信するためのスイッチを含む通信論理回路も有する。メモリがネットワークポータル装置に接続されると、このスイッチは、トランシーバがインターネットからの情報を第１のモードで無線送受信することを停止させる。
【００１２】
本発明はまた、インターネットに接続するための移動無線通信装置にも関する。装置は、無線一般通信事業者のネットワークを介して無線で通信するためのトランシーバを有する。装置は、装置の用途及び通信を制御するための第１のプロセッサと、第２のプロセッサと、第２のプロセッサに接続された不揮発性メモリとをさらに有する。不揮発性メモリは、第１のプロセッサがアクセスできる第１の部分と、第２のプロセッサがアクセスできる第２の部分との２つの部分を有する。第２のプロセッサは、ユーザによる第１の部分へのアクセスを制限する。
【発明を実施するための最良の形態】
【００１３】
図１を参照すると、例えばセルラアクセスタワー１２０を含むセルラネットワーク１１０などの公的にアクセス可能な（一般通信事業者の）無線通信ネットワークで使用される携帯電話１００などの移動無線通信装置１００の説明図が示されている。セルラネットワーク１１０は、携帯電話タワー１２０上か、或いはその近くに存在するアクセスサーバ（図示せず）を介して、インターネット１５０としても知られている相互接続されたコンピュータネットワークからなるネットワーク１５０に接続することができる。このようにして、携帯電話１００は、携帯電話ネットワーク１１０上の他の携帯電話１００と無線で通信することができる。また、携帯電話１００は、インターネット１５０に接続されたアクセスサーバを有する携帯電話ネットワーク１１０を介してインターネット１５０と無線で通信することができる。さらに、以下に示すように、携帯電話１００のリムーバブルカード１０の部分はまた、ドッキングステーション１６０などのネットワークポータル装置を介してインターネット１５０に直接接続することもでき、このネットワークポータル装置はパーソナルコンピュータに接続され、このパーソナルコンピュータがインターネット１５０に接続する。
【００１４】
本発明の携帯電話１００は、従来技術によるリムーバブルＳＩＭカードに非常に類似したリムーバブルカード１０を有する。しかし、当然のことながら、本発明のリムーバブルカード１０の特徴は、従来技術によるリムーバブルＳＩＭカードとは大幅に異なり、これを上回るように改善されている。
【００１５】
図２を参照すると、本発明の移動無線通信装置１００に接続された本発明のリムーバブルカード１０の概略図が示されている。装置１００は、セルラネットワーク１１０の全域において無線で動作するように設計されているため、アンテナ１０２を備えている。アンテナ１０２にはトランシーバ１０４が接続される。トランシーバ１０４は、セルラネットワーク１１０との間で変調信号を送受信する。このような構成要素は当業で公知である。受信した信号を復調し、次にデジタル信号に変換し、ゲートウェイ１０６に供給することができる。ゲートウェイ１０６はまた、ＮＡＴ（ネットワークアドレス変換）回路を有することもできる。ＮＡＴ回路１０６は、プライベートＩＰアドレスをパブリックＩＰアドレスの１又はそれ以上のポートに変換又はマッピングする。以下に説明するように、装置１００がインターネット１５０に接続された場合、装置には（リムーバブルカード１０を介して）パブリックアドレスが（周知のＤＨＣＰプロトコルを介して）割り当てられ、装置１００がインターネット１５０に接続されておらず、ローカルサーバとして動作している場合には、プライベートアドレスを有することができる。送信されるデジタル信号は、トランシーバ１０４により変調され、適当な電磁周波数信号に変換されてアンテナ１０２で送信される。装置１００は、インターネット１５０にアクセスすることができるため、ブラウザ及びメディアプレーヤ１１２も備えている。ブラウザ及びメディアプレーヤ１１２は、周知のＴＣＰ／ＩＰプロトコル並びにＨＴＴＰプロトコルによりゲートウェイ１０６とインタフェース接続して、装置１００がインターネット１５０から受信したデジタル信号を供給し、受信し、この信号をディスプレイ１０８上に表示することができる。ブラウザ及びメディアプレーヤ１１２に関連付けられたプロセッサ（図示せず）は、トランシーバ１０４及び装置１００の別の周知のハードウェア回路も制御してネットワーク１１０と通信を行う。
【００１６】
本発明のリムーバブルカード１０は、ドッキングステーション１６０を介し、周知のＵＳＢインタフェース１１４を介して装置１００に接続することができる。ＵＳＢインタフェース１１４はゲートウェイ１０６に接続する。従って、リムーバブルカード１０からのデジタル信号は、ドッキングステーション１６０を介し、ＵＳＢインタフェース１１４を介し、ゲートウェイ１０６を介し、アンテナ１０２へのトランシーバ１０４を介して装置１００と送受信されることになる。
【００１７】
本発明のリムーバブルカード１０を図３にさらに詳細に示す。具体的には、カード１０に含まれるホストコントローラ１２が、ＵＳＢバス１１３を介してＵＳＢインタフェース１１４とインタフェース接続する。また、ホストコントローラ１２は、バス１６を介してメモリコントローラ１４に接続される。メモリコントローラ１４は、ＮＡＮＤメモリ２０及びＰＳＲＡＭ２２を制御する。ＮＡＮＤメモリ２０及びＰＳＲＡＭ２２を制御する際のメモリコントローラ１４の動作については、米国特許公報第２００７−０１４７１１５号のもとで２００７年６月２８日に公開され、本譲受人に譲渡された米国特許出願第１１／６３７，４２０号において十分に説明されており、この開示全体が引用により本明細書に組み入れられる。ホストコントローラ１２を近距離無線通信器（ＮＦＣ）２４に任意で接続することもできる。ＮＦＣ２４は、近接近時の無線通信を可能にする近距離ＲＦ回路である。従って、ＮＦＣ２４を有する装置１００は、金融取引又は識別目的のための「電子財布」として、或いは、インターネット１５０への別のアクセスとして機能することができる。当然ながら、装置１００はまた、Ｗｉ−Ｆｉネットワークなどの他の形態の無線ネットワークを介してインターネット１５０と無線で接続することもできる。
【００１８】
図４を参照すると、ホストコントローラ１２の詳細な概略ブロック図が示されている。ホストコントローラ１２は高速バス５０を備えており、メモリコントローラ１４に接続するためのホストインタフェース３０がこのバスに取り付けられる。ホストインタフェース３０はまた、メモリコントローラ１４との間でやり取りするデータを一時的に保持するためのレジスタ３２も備える。同様にホストコントローラ１２に含まれるＦＩＦＯ（先入れ先出し）回路５１も高速バス５０に接続される。ＦＩＦＯ５１はまた、ＵＳＢコントローラ回路５４にも接続されており、このＵＳＢコントローラ回路５４は、ＵＳＢバス１１３に接続するための（ＵＳＢポートの標準物理層インタフェースであり、パッド、電圧レベルシフタ、及びクロック修復回路を含む）ＰＨＹ回路５６に接続される。高速バス５０には、ＡＭＲ  ＳＣ−１００プロセッサ５２などのセキュアプロセッサも接続される。
【００１９】
ホストコントローラ１２はまた、ＡＭＲ  ＳＣ−１００プロセッサ５２に対するセキュアコプロセッサであるＲＳＡ／ＡＥＳ／ＤＥＳエンジン６０も備える。エンジン６０は、調停回路６２を介して高速バス５０に接続される。エンジン６０及びプロセッサ５２の両方がメモリ又は高速バスの他のリソースを同時に要求することがあり得るため、調停回路６２は、バス５０への同時アクセス要求を調停する。エンジン６０はまた、ＳＲＡＭ６４などの専用高速キャッシュＲＡＭへのアクセス権も有する。最終的に、ブリッジ回路６８も高速バス５０に接続される。ブリッジ回路６８はまた、低速バス７０にも接続されており、この低速バスにタイマ７２が接続され、クロック発生器７４が接続され、電源管理回路７６が接続され、セキュリティモニタ回路７８が接続され、ＵＡＲＴ８０が接続され、ＳＰＩ回路８２（周知のバスであるシリアル周辺機器インタフェース）が接続されている。ＵＡＲＴ８０及びＳＰＩ８２はまた、バス９０にも接続されており、このバス９０がＮＦＣ２４に接続される。コントローラ１２はまた、ＩＳＯ７８１６シリアルインタフェースバスであるバス９１にも接続される。このバス９１は、従来技術の携帯電話で一般的に見られる、電話とＳＩＭカードとの間のバイト指向の万能非同期送受信器（ＵＡＲＴ）インタフェースである。（ＵＡＲＴを用いた）このタイプのインタフェースは、ＵＳＢインタフェースに置き換えられつつある。従って、バス９１は下位互換性のためだけに存在する。
【００２０】
移動無線通信装置の動作
本発明の移動無線通信装置１００の多くの動作モードが存在する。まず、移動通信事業者（ＭＮＯ）、すなわちセルラネットワーク１１０の事業者が、リムーバブルカード１０の各々を配布すると共に、インターネット１５０に接続されたサーバ２００も有している点に留意されたい。ＭＮＯによって配布される本発明のリムーバブルカード１０の各々には、ＭＮＯによって一意のパブリックＩＰアドレスが割り当てられており、このアドレスがリムーバブルカード１０の不揮発性メモリ部分に記憶される。この一意のパブリックＩＰアドレスにより、装置１００はＭＮＯサーバ２００へと導かれることになる。米国特許公報第２００７−０１４７１１５号のもとで２００７年６月２８日に公開された米国特許出願第１１／６３７，４２０号に開示されるように、不揮発性メモリは、ＮＡＮＤメモリ２０内、並びにコントローラ１４に組み込まれているＮＯＲメモリ内に存在する。いずれにしても、ＭＮＯが一意のパブリックＩＰアドレスを割り当て、このアドレスをリムーバブルカード１０の不揮発性メモリ部分に予め記憶する。不揮発性メモリは２つの部分に分割することができ、第１の部分と第２の部分との間のパーティションは変更可能である。リムーバブルカード１０のＭＮＯプロバイダが、第１の部分／第２の部分の分割を行うことができる。第１の部分には、トランシーバ１０４とブラウザ及びメディアプレーヤ１１２とを制御するプロセッサにより、及び装置１００の通信を制御するその他のハードウェア回路によりアクセスすることができる。第２の部分には、リムーバブルカード１０内のプロセッサ５２によりアクセスすることができ、これはユーザがアクセスできる部分である。また、プロセッサ５２は、ユーザが第１の部分に対して有することができる、（情報の種類を含む）アクセスの度合いを制御する。いずれにしても、説明する理由により、ＭＮＯによって割り当てられた一意のパブリックＩＰアドレスは第１の部分に記憶され、プロセッサ５２はここへのアクセスを禁止する。しかしながら、ユーザ名、クレジットカードなどの機密ユーザ情報のようなその他の種類の情報を第１の部分に記憶することもでき、プロセッサ５２は、これらの種類の情報への限定されたユーザアクセスを認可することができる。
【００２１】
本発明のリムーバブルカード１０がユーザに配布され、ユーザが本発明の装置１００にカード１０を挿入した後、従来技術で行われたように、ユーザは装置１００を使用してセルラネットワーク１１０上で動作させることができる。従来技術と同様に、カード１０もまた、電話番号、アクセスコード、分数、通話プランなどの装置１００の用途に関する情報をセルラネットワーク１１０上に有することができ、これらの情報はカード１０のメモリ部分の第１の部分（ユーザ制限部分）に記憶される。ユーザ制限部分にこの種の情報を記憶して、ユーザが制限のないアクセス権を有することができないようにすることは明らかに適切なことである。このように、リムーバブルカード１０は、セルラネットワーク１１０と共に使用された場合、従来技術のＳＩＭカードと全く同様に機能する。
【００２２】
ユーザが装置１００を使用してインターネット１５０にアクセスする際に、本発明の画期的な特徴を認めることができる。インターネット１５０にアクセスするには少なくとも２つの可能なモード（第１のモード又は第２のモード）が存在する。不揮発性メモリ１４に記憶されたプログラミングコードにより、プロセッサ５２は、第１のモード又は第２動作モードのいずれかでインターネット１５０にアクセスできるようになる。
【００２３】
第１のモードでは、リムーバブルカード１０は、装置１００を介し、セルラネットワーク１１０を介してインターネット１５０にアクセスすることができる。この場合、装置１００は、タワー１２０の近くに存在する、セルラネットワーク１１０に接続されたアクセスサーバを介してインターネット１５０に接続される。装置１００をインターネット１５０に接続するセッション中ずっと、（インターネットサービスプロバイダ（ＩＳＰ）に類似した）アクセスサーバは、起動時に装置１００に動的なパブリックＩＰアドレスを割り当てることができる。装置１００がインターネット１５０に接続される際のこのようなパブリックＩＰアドレスの動的割り当ては当業で公知であり、ＤＨＣＰプロトコルに従うものである。或いは、前述のようにパブリックＩＰアドレスを予め割り当て、リムーバブルカード１０に記憶するようにしてもよい。次に装置１００のブラウザ及びメディアプレーヤ１１２を用いてインターネット１５０をブラウズするかサーフィンする。その後、インターネット１５０からのコンテンツがダウンロードされ、リムーバブルカード１０のユーザが制限されるメモリ部分か、或いはユーザがアクセスできる部分かのいずれかに保存される。
【００２４】
インターネットと安全に通信を行うために、カード１０のメモリ部分のユーザが制限される部分は、秘密鍵を記憶することができる。ホストコントローラ１２のＲＳＡ／ＡＥＳ／ＤＥＳエンジン６０は、この秘密鍵を用いてインターネット１５０との通信を暗号化及び／又は復号化することができる。ＭＮＯが最初にリムーバブルカード１０を配布する際に、ＭＮＯがこの秘密鍵を提供するか、或いは装置がインターネット１５０に接続された際に、インターネット１５０に接続されたＭＮＯサーバ２００から秘密鍵をダウンロードすることができる。
【００２５】
無線ネットワーク１１０を介してインターネット１５０から取得した情報を、リムーバブルカード１０のユーザが制限される部分に保存することができ、この部分が、割り当てられたプライベートＩＰアドレスに関連付けられる。最初にＭＮＯがプライベートＩＰアドレスを割り当て、配布前にリムーバブルカード１０に記憶することができる。或いは、セルラネットワーク１２０に接続されたアクセスサーバがプライベートアドレスを割り当てることもできる。最終的に、プライベートアドレスとは、単にアクセスサーバが動的に割り当て、その後ＮＡＴ回路がプライベートＩＰアドレスに変換したパブリックＩＰアドレスのことであると考えてもよい。インターネット１５０からの情報をリムーバブルカード１０に記憶した後、ブラウザ及びメディアプレーヤ１１２はこの情報を取り出し、プライベートＩＰアドレスを用いて装置１００のディスプレイ１０８上に表示することができる。これはイントラネットの動作に類似している。従って、リムーバブルカード１０は、自身のメモリに記憶したデータをブラウザ及びメディアプレーヤ１１２に提供する際にはローカル（プライベート）サーバとしての機能を果たすことになる。
【００２６】
装置１００に２つのパブリックＩＰアドレスを割り当てるよりも、すなわち、インターネット１５０をサーフィン又はブラウズする際に装置１００の電話部分に１つのＩＰアドレスを割り当て、そのコンテンツを表示する際にリムーバブルカード１０に別のパブリックＩＰアドレスを割り当てるよりも経済的であるという理由で、ブラウザ１１２がローカルモードでアクセスする際には「プライベート」ＩＰアドレスを使用した方が有利である。リムーバブルカード１０に記憶されたコンテンツは、装置１００を使用するユーザのためのものであるため、リムーバブルカード１０がパブリックＩＰアドレスを有する必要はない。さらに、ユーザがリムーバブルカード１０に記憶されたコンテンツを表示している時間には、装置１００をインターネット１５０に接続することはできない。
【００２７】
第２のモードでは、装置１００は、セルラネットワーク１１０を介する以外の方法でインターネット１５０にアクセスすることができる。１つの方法として、（例えば、ＵＳＢポートを介して）ＰＣに接続された端末などのネットワークポータル装置１７０を介する方法がある。別の方法として、インターネット１５０に接続された受信装置（図示せず）に無線で接続するＷｉ−Ｆｉなどの無線リンクを介する方法がある。いずれの方法においても、装置１００はドッキングスイッチ１６０を有することになる。図５を参照すると、（第１のモードと共に）このモードでの通信を示す図が概略的に示されている。通常、第１のモードでは、リムーバブルカード１０は、ドッキングスイッチ１６０を介してＵＳＢインタフェース１１４に接続される。しかしながら、装置１００がＰＣ１７０に接続されるか、或いはＮＦＣ２４を介して接続される場合、ドッキングスイッチ１６０が変更され、リムーバブルカード１０がＵＳＢインタフェース１１４からの接続を断つようになる。従って、例えば、ドッキングスイッチ１６０にＵＳＢケーブルが接続された場合、リムーバブルカード１０は、ＵＳＢインタフェース１１４から接続を断ち、自身のＵＳＢポートを使用してＰＣ１７０に直接接続することになる。次にドッキングスイッチ１６０は、リムーバブルカード１０とトランシーバ１０４を含む装置１００の残りの部分との間の接続を断つ。リムーバブルカード１０は、セルラネットワーク１１０のアクセス情報を含んでいるため、装置１００がセルラネットワーク１１０を介してインターネットに無線でアクセスしていた場合、装置１００は、セルラネットワーク１１０と間の無線送受信を停止することになる。第１の動作モードと同様に、装置１００が、ＰＣゲートウェイに接続するドッキングスイッチ１６０を介してインターネット１５０に接続される場合、インターネット１５０に接続するために、インターネットサービスプロバイダ（ＩＳＰ）により最初にパブリックＩＰアドレスが装置に割り当てられる。この場合も、このアドレスは、装置１００がインターネット１５０に接続されたセッション中に使用するための、動的に割り当てられたパブリックＩＰアドレスである。
【００２８】
リムーバブルカード１０は、ＭＮＯが割り当てたパブリックＩＰアドレスをメモリのユーザが制限される部分に記憶するので、最終的にこのパブリックＩＰアドレスにより、装置１００はＭＮＯサーバ２００へと導かれることになる。装置１００がＰＣポータル１７０を介してインターネット１５０に接続されている時間中であり、かつ（装置１００がバッテリ充電のためにドッキングスイッチ１６０に接続されたドッキングステーションに存在する場合などのように）ユーザがインターネット１５０をブラウズ又はサーフィンしていない場合、装置１００は、リムーバブルカード１０に記憶されたパブリックＩＰアドレスを用いてＭＮＯサーバ２００に到達することができる。次に、ＭＮＯサーバ２００は、映画などのコンテンツ、又はプログラミングコード（装置１００のアップデート）をダウンロードし、これらを装置１００のリムーバブルカード１０のユーザが制限される部分に記憶することができる。このモードの利点は、装置１００がセルラネットワーク１１０に接続されておらず、かつユーザがインターネット１５０をアクティブにサーフィン又はブラウズしていない場合、大量のコンテンツをダウンロードできるという点である。その後、承認コード及び／又は支払コードにより、ダウンロードされた映画又は他の素材を起動することができる。映画又はその他のコンテンツは、ＭＮＯサーバ２００からダウンロードされたものであるため、ユーザは、このコンテンツの信頼性（すなわち、ウィルスフリーであることなど）を確信することができる。また、コンテンツ所有者は、コンテンツが安全な方法でダウンロードされ、ユーザが制限される部分に記憶されるということが分かっているため、違法コピーが生成されることはないであろうと確信することができる。このようにすることで、この手順は全ての関係者にとって信頼できる手順となる。最終的に、この方法でプログラミングコードも配布できるようにすると、装置１００のアップデートを保証するための効率的で便利なモードが提供されることになる。
【００２９】
さらに、ＭＮＯ事業者が個々のリムーバブルカード１０に一意のＩＰアドレスを割り当てるようにすることもできる。これにより、本発明の別の独自の特徴が提供される。一意のＩＰアドレスを有するリムーバブルカード１０を接続した装置１００がインターネット１５０に接続された場合、同様にインターネット１５０に接続されたＭＮＯサーバ２００は、全てのリムーバブルカード１０に対して、又はあるリムーバブルカード１０に対してのみ、或いは特定の１枚のリムーバブルカード１０に対してのみ情報をダウンロードすることもできる。１又はそれ以上のリムーバブルカード１０にダウンロードされた情報を、カード１０のユーザが制限されるメモリ部分に記憶することができる。ユーザが制限される部分に記憶できる情報の例としては、通話プランの変更、分数の増加などの管理情報が含まれ得る。さらに、この「情報」はデータであってもよく、或いはホストコントローラ１２が実行するための（Ｊａｖａアプレットを含む）プログラミングコードであってもよい。従って、例えば、ＭＮＯサーバ２００からダウンロードされた「情報」は、装置１００をセルラネットワーク１１０にアクセスさせて、インターネット１５０に定期的にアクセスするか、又はインターネット１５０上の（ＭＮＯサーバ２００のＩＰアドレスなどの）指定場所にアクセスするか、或いは何らかの指定された方法でアップデート、ダウンロード等を取得するコードをホストコントローラ１２に実行させるためのプログラムであってもよい。
【図面の簡単な説明】
【００３０】
【図１】移動ネットワーク並びにインターネットに接続するために本発明の移動無線通信装置に接続された本発明のリムーバブルカードを示す図である。
【図２】本発明の移動無線通信装置に接続された本発明のリムーバブルカードの概略図である。
【図３】本発明のリムーバブルカードのブロックレベル図の回路図である。
【図４】本発明のリムーバブルカードのプロセッサ部分の詳細な回路図である。
【図５】本発明のリムーバブルカードを有する移動無線通信装置の２つのモードによるインターネットとの通信を示す図であり、このリムーバブルカードは、第１のモードでは、無線通信装置を介して移動ネットワークと無線で通信を行ってインターネットにアクセスし、第２のモードでは、ネットワークポータル装置に接続されてインターネットに接続する。
【図２】
0005015112.tif 000002
【図５】
0005015112.tif 000003
【図１】
0005015112.tif 000004
【図３】
0005015112.tif 000005
【図４】
0005015112.tif 000006